(57)【要約】【課題】外観を向上させた照明器具を提供する。【解決手段】照明器具Ａは、壁面２０に取付けられる縦長の略箱状の器具本体１と、器具本体１の前面側に配設され、蛍光ランプ４が装着されるランプソケット３と、蛍光ランプ４及び器具本体１を覆うように器具本体１に取付けられる透光カバー２とを備えている。器具本体１は略Ｌ字状のボディ１１を有し、ボディ１１には点検用のスイッチ２３が取付けられる取付台２６が設けられている。この取付台２６は横長の主片２６ａを有し、主片２６ａの長手方向右寄りには主片２６ａと直交する方向に延出する横片２６ｂと、横片２６ｂの端縁から横片２６ｂと略直交する方向に延出する縦片２６ｃとが一体に設けられている。これらの横片２６ｂ及び縦片２６ｃには、横片２６ｂから縦片２６ｃに跨る略楕円形状の長孔２６ｅが貫設され、スイッチ２３に取付けられた操作片２５が長孔２６ｅに挿通されて凹部内に配設される。【選択図】図１
2008270093.tif 000002
【特許請求の範囲】
【請求項１】
器具本体に内装される点検用のスイッチと、当該スイッチに引き紐を介して取付けられ器具本体に設けた凹部の開口を臨んで当該凹部内に配設される操作部とを備え、凹部の底部に引き紐を挿通させるためのスリットを設けるとともに、操作部が器具本体において当該スリットよりも内側に引き込まれるのを防止するストッパーを設けたことを特徴とする照明器具。
【請求項２】
前記スリットは、前記操作部を挿通可能な大きさに形成され、前記操作部は、取付状態で少なくとも一部が当該操作部の操作方向において前記スリットの周縁部に重なるように配置され、前記ストッパーは、前記スリットの周縁部からなることを特徴とする請求項１記載の照明器具。
【請求項３】
前記スイッチを取付けるための取付部を前記ストッパーと一体に設けたことを特徴とする請求項１又は２の何れか１項に記載の照明器具。
【発明の詳細な説明】
【技術分野】
【０００１】
本発明は、照明器具に関するものである。
【背景技術】
【０００２】
従来より、図５に示すように点検用のスイッチ３２を作動させるための引き紐３３が器具外に露出した誘導灯Ａ’があった。この誘導灯Ａ’は、点検用のスイッチ３２が器具本体３１に内装されており、スイッチ３２を作動させるための引き紐３３が器具本体３１の下面の端部から外部に露設されている。また、引き紐３３の先端には、引き紐３３を引くための操作片３４が取付けられている。
【０００３】
この誘導灯Ａ’は非常口などの上方に配置されることが多く、引き紐３３が外部に露出しているため扉を開閉する際に引き紐３３が切られ、点検作業が困難になる虞があった。
【０００４】
そこで、上記不具合を防止するために操作片のみを器具外に露出させた誘導灯も提案されている（例えば特許文献１参照）。この誘導灯は、点検用のスイッチが器具本体に内装されており、スイッチを作動させるための操作片が器具本体の下面から一部を露出させた状態で配設されている。
【特許文献１】実開平３−９５５３５号公報（第７頁−第８頁、及び、第３図−第４図）
【発明の開示】
【発明が解決しようとする課題】
【０００５】
上述の特許文献１に示した誘導灯では、操作片の一部が器具本体から露出しているので、器具全体の見栄えがよくなかった。また、いたずらなどで使用者の意図に反して操作片が操作される可能性もあった。
【０００６】
本発明は上記問題点に鑑みて為されたものであり、その目的とするところは、外観を向上させた照明器具を提供することにある。
【課題を解決するための手段】
【０００７】
請求項１の発明は、器具本体に内装される点検用のスイッチと、当該スイッチに引き紐を介して取付けられ器具本体に設けた凹部の開口を臨んで当該凹部内に配設される操作部とを備え、凹部の底部に引き紐を挿通させるためのスリットを設けるとともに、操作部が器具本体において当該スリットよりも内側に引き込まれるのを防止するストッパーを設けたことを特徴とする。
【０００８】
請求項２の発明は、スリットは、操作部を挿通可能な大きさに形成され、操作部は、取付状態で少なくとも一部が当該操作部の操作方向においてスリットの周縁部に重なるように配置され、ストッパーは、スリットの周縁部からなることを特徴とする。
【０００９】
請求項３の発明は、スイッチを取付けるための取付部をストッパーと一体に設けたことを特徴とする。
【発明の効果】
【００１０】
請求項１の発明によれば、器具本体に設けた凹部の開口を臨んだ状態で操作部を凹部内に配設しているので凹部の開口を通して操作部を操作でき、且つ、操作部が器具本体から露出していないので器具全体の外観が向上するという効果がある。また、ストッパーを設けることによって、操作部が器具本体においてスリットよりも内側に引き込まれることがないので、操作性が低下しないという効果がある。
【００１１】
請求項２の発明によれば、取付状態で少なくとも一部が操作部の操作方向においてスリットの周縁部に重なるように操作部を配置することによって、操作部を操作した際にスリットの周縁部をストッパーとして機能させることができ、またストッパーを別に設けなくてもよく部品点数を削減できるという効果がある。
【００１２】
請求項３の発明によれば、スイッチを取付けるための取付部をストッパーと一体に設けているので、取付部を別に設けなくてもよく部品点数を低減できるという効果がある。
【発明を実施するための最良の形態】
【００１３】
本発明の実施形態を図１〜図４に基づいて説明する。本発明に係る照明器具Ａは、例えば廊下や階段などの壁面に取付けられ、誘導灯として用いられる。
【００１４】
本発明に係る照明器具Ａは、壁面２０に取付けられる縦長の略箱状の器具本体１と、器具本体１の前面側（図１（ａ）の左側）に配設されるランプソケット３と、ランプソケット３に着脱自在に装着される蛍光ランプ４と、蛍光ランプ４及び器具本体１を覆うように器具本体１に取付けられる透光カバー２と、透光カバー２を器具本体１に取付けるための取付板６とを備えている。
【００１５】
器具本体１は、図１（ａ）に示すように縦長の側面視略Ｌ字状のボディ１１を有し、ボディ１１の内部には図２に示すように停電時において蛍光ランプ４に電源を供給するための複数（本実施形態では４個）の充電池９が保持金具１０を用いて取付けられ、また安定器２１や端子台２２などの電子部品が収納されている。さらに、ボディ１１には、カバー１３を固定するための固定部１５が設けられ、ボディ１１の底面１１ａには下面が開口する略コ字状の支持台１２が取付けられている。
【００１６】
また、ボディ１１には、停電時において照明器具Ａが正常に作動するか否かを点検するための点検用のスイッチ２３が収納されている。このスイッチ２３は、例えばプルスイッチなどからなり、スイッチ２３のスイッチ部（図示せず）には引き紐２４が取付けられ、引き紐２４の先端には略矩形板状の操作片（操作部）２５が設けられている。この操作片２５は、図２に示すように器具本体１の幅方向における寸法がＤ１に形成され、操作片２５の下寄りの位置には操作時に用いられる操作孔２５ａが貫設されている。尚、スイッチ２３を作動させる際には、この操作孔２５ａに指を挿入して操作片２５を下側に引くことでスイッチ２３が作動する。
【００１７】
スイッチ２３は、図２に示すように取付台２６に取付けられた状態でボディ１１に収納される。この取付台２６は、図３に示すように横長の略矩形板状の主片２６ａを有し、主片２６ａにおいて長手方向右寄りの下側の端縁には、主片２６ａと略直交する方向に延出する横片２６ｂが折曲形成されている。また、横片２６ｂの先端側には、横片２６ｂと略直交する方向であって主片２６ａと反対側に延出する縦片２６ｃが折曲形成されている。さらに、横片２６ｂと縦片２６ｃとの折り曲げ部分には、横片２６ｂから縦片２６ｃに跨る略楕円形状の長孔（スリット）２６ｅが貫設されている。この長孔２６ｅは、短手方向の寸法Ｄ２が操作片２５の幅寸法Ｄ１よりも小さく、且つ、長孔２６ｅにおいて横片２６ｂ側の円弧部分のＰ点と縦片２６ｃ側の円弧部分のＱ点とを結ぶ線分の長さＤ３が操作片２５の幅寸法Ｄ１よりも大きくなるように形成されている。したがって、操作片２５の幅方向（図２の左右方向）を長孔２６ｅの長手方向に合わせることで、斜め前方から操作片２５を長孔２６ｅに挿通することができる。
【００１８】
また、主片２６ａにおいて長手方向右寄りの上側の端縁には、主片２６ａと略直交する方向であって横片２６ｂと同方向に延出する取付片２６ｄが折曲形成されており、取付片２６ｄには固定ねじ２７が挿通する挿通孔２６ｆが貫設されている。この取付片２６ｄは上記スイッチ２３を取付けるためのものであり、固定ねじ２７を挿通孔２６ｆに挿通しスイッチ２３に設けられたねじ孔（図示せず）に螺合させると、図４に示すようにスイッチ２３が取付片２６ｄに固定される。尚、スイッチ２３は、長手方向が前後方向（図１（ａ）の左右方向）となるように取付片２６ｄに取付けられているので、器具本体１の長さ寸法（図１（ａ）の上下方向の寸法）を小さくすることができ、したがって小型の照明器具Ａを提供することができる。また、引き紐２４は、図４に示すようにスイッチ２３の前面側から前方に引き出され、下方に垂れ下がった状態で長孔２６ｅに挿通される。
【００１９】
さらに、本実施形態では、主片２６ａにおいて長手方向左寄りの下側の端縁に、上記固定部１５が一体に設けられている。この固定部１５は、主片２６ａの上記端縁から主片２６ａと略直交する方向であって横片２６ｂと同方向に延出する支持片１５ａを有し、支持片１５ａの先端側には支持片１５ａと略直交する方向であって主片２６ａと反対側に延出する固定片１５ｂが折曲形成されている。また、固定片１５ｂの略中央部には、後述するカバー１３をボディ１１に固定するための固定ねじ１７が螺合するねじ孔１５ｃが設けられている。さらに、主片２６ａの長手方向右側端縁には、取付台２６をボディ１１に係止するための係止片２６ｈが設けられ、主片２６ａの長手方向左側には固定ねじ（図示せず）が挿通する挿通孔２６ｇが設けられている。したがって、係止片２６ｈをボディ１１に設けられた係止部（図示せず）に係止するとともに、固定ねじを挿通孔２６ｇに挿通しボディ１１に設けられたねじ孔（図示せず）に螺合させると、取付台２６がボディ１１に固定される。
【００２０】
ボディ１１の前面側（図１（ａ）の左側）には、後面側が開口する縦長の略箱状のカバー１３が取付けられる。このカバー１３は、前面側に蛍光ランプ４からの光を反射させるための反射面が形成されており、カバー１３に設けた挿通孔（図示せず）に固定ねじ１７を挿通し上記固定片１５ｂのねじ孔１５ｃに螺合させることでボディ１１に固定される。
【００２１】
ボディ１１の後面側（図１（ａ）の右側）には、器具本体１を壁面２０に取付けるためのベース８が取付けられる。このベース８は、縦長の側面視略Ｌ字状のベース本体８ａを有し、ベース本体８ａの下面には開口部８ｃが設けられている。また、ベース本体８ａの上側端縁には、取付板６を取付けるための取付部８ｂが一体に設けられている。ここに、上記取付台２６の横片２６ｂ及び縦片２６ｃと、ベース本体８ａとで形成される空間により凹部が構成され、ベース本体８ａの開口部８ｃにより凹部の開口が構成されている。したがって、横片２６ｂ及び縦片２６ｃにより凹部の底部が構成される。
【００２２】
ランプソケット３は略円筒状の本体部３ａを有し、本体部３ａの一端側においてボディ１１から延出する取付片５にねじ固定されている。また、本体部３ａの他端側には、蛍光ランプ４の口金４ｂがねじ込まれるソケット部３ｂが設けられている。
【００２３】
蛍光ランプ４は、略螺旋状の発光管４ａを有する電球型蛍光ランプであって、発光管４ａと反対側には口金４ｂが設けられ、口金４ｂをソケット部３ｂにねじ込むことで蛍光ランプ４がランプソケット３に保持されるとともに、ランプソケット３を介して安定器２１を含む点灯装置から電力が供給される。
【００２４】
透光カバー２は、例えば透光性を有する樹脂材料により一面（図１（ａ）の右側の面）が開口する略箱状に形成されている。この透光カバー２は、図１（ａ）に示すように取付板６と取付板６に設けられた取付片７との間に透光カバー２の上面の一部を挟み込んだ状態で固定ねじ１８を螺合させることで取付板６が取付けられる。そして、透光カバー２の下面をベース本体８ａの下面に載置した状態で固定ねじ１９を取付板６に設けられた挿通孔（図示せず）に挿通しベース８の取付部８ｂに螺合させると、透光カバー２が器具本体１に取付けられる。
【００２５】
ここで、操作片２５を上記凹部内に配設する場合、操作片２５の幅方向を長孔２６ｅの長手方向に合わせた状態で図１（ｂ）における左斜め上方から操作片２５を長孔２６ｅに挿通し、その後操作片２５の幅方向が長孔２６ｅの長手方向と交差するように操作片２５を回転させると、図１（ｂ）及び図４に示すように操作片２５が凹部内に配設される。尚、長孔２６ｅの短手方向の寸法Ｄ２は操作片２５の幅寸法Ｄ１よりも小さいので、この状態では操作片２５の操作方向（図１（ｂ）の上下方向）において操作片２５の一部が長孔２６ｅの開口周縁部と重なり、操作片２５は長孔２６ｅを通過しない。すなわち、横片２６ｂにおける長孔２６ｅの開口周縁部がストッパーとして機能する。
【００２６】
本実施形態の照明器具Ａでは、図１（ｂ）に示すように取付状態において操作片２５が凹部内に配設されるので、操作片２５が器具本体１から露出することがなく、照明器具Ａ全体の外観が向上する。また、凹部の開口（すなわち、ベース本体８ａの開口部８ｃ）を通して操作片２５を操作できるので、点検作業を容易に行うことができる。さらに、図１（ｂ）及び図４に示すように、長孔２６ｅの長手方向に対して操作片２５の幅方向（図２の左右方向）が交差するように操作片２５を配置することによって、操作片２５の一部が操作片２５の操作方向において長孔２６ｅの開口周縁部と重なり、開口周縁部がストッパーとして機能するので、操作片２５が横片２６ｂよりも器具本体１の内部に引き込まれることがなく点検時の操作性が低下せず、またストッパーを別に設けなくてもよく部品点数が削減できる。さらに、スイッチ２３を取付けるための取付片２６ｄを横片（ストッパー）２６ｂと一体に設けているので、取付片２６ｄを別に設けなくてもよく部品点数を低減できる。
【００２７】
尚、本実施形態では、取付台２６の横片（凹部の底部）２６ｂをストッパーとした場合を例に説明したが、ストッパーは本実施形態に限定されるものではなく、操作片２５が凹部の底部よりも器具本体１の内部に引き込まれるのを防止できるものであればよい。また、本実施形態では、取付片２６ｄを横片（ストッパー）２６ｂと一体に設けた場合を例に説明したが、取付片２６ｄを別体に設けてもよい。
【図面の簡単な説明】
【００２８】
【図１】本実施形態の照明器具を示し、（ａ）は断面図、（ｂ）は要部詳細図である。
【図２】同上の器具本体内部を示す正面図である。
【図３】同上に用いられる取付台の斜視図である。
【図４】同上に用いられる取付台にスイッチを取付けた状態の斜視図である。
【図５】従来例の照明器具の一部破断せる正面図である。
【符号の説明】
【００２９】
１      器具本体
２３    スイッチ
２４    引き紐
２５    操作片（操作部）
２６ｂ  横片
２６ｃ  縦片
２６ｅ  長孔（スリット）
Ａ      照明器具
【図１】
2008270093.tif 000003
【図２】
2008270093.tif 000004
【図３】
2008270093.tif 000005
【図４】
2008270093.tif 000006
【図５】
2008270093.tif 000007